(57)【要約】【課題】  破断または折り纏め処理にあたって、容易にしかも安全に折り纏め処理することができるとともに、さらに必要により底壁の折り目線から容易かつ安全に破断処理することができるトレーを提供する。【解決手段】  トレー１は、底壁２の周囲に起立した側壁３が一体に形成されているものである。底壁２にはその一端側から他端側にかけて折り目線４を形成してある。側壁３には、底壁２の折り目線４の延長線に沿って破断誘導線５を形成してある。底壁の折り目線は、細凹溝状、細長楕円孔並列状または円孔並列状の線であえう。側壁の破断誘導線は、細長楕円孔並列状、円孔並列状または一連細長孔状の線である。側壁３の破断誘導線５は、側壁３の底壁２からの起立側および開口端側に間隔６をおいて形成されている。側壁３の開口端には、破断誘導線５に対応して破断案内のための切り込み部（ノッチ）７を形成してある。【選択図】        図１
2005053511.tif 000002
【特許請求の範囲】
【請求項１】
底壁の周囲に起立した側壁が一体に形成されているトレーであって、底壁にはその一端側から他端側にかけて折り目線を形成してあるとともに、側壁には上記折り目線の延長線に沿って破断誘導線を形成して成ることを特徴とするトレー。
【請求項２】
底壁の折り目線は、細凹溝状、細長楕円孔並列状または円孔並列状の線であり、側壁の破断誘導線は、細長楕円孔並列状、円孔並列状または一連細長孔状の線であることを特徴とする請求項１記載のトレー。
【請求項３】
側壁の破断誘導線は、側壁の底壁からの起立側および開口端側またはそのいずれかに間隔をおいて形成されていることを特徴とする請求項１または２記載のトレー。
。
【請求項４】
側壁の開口端には、破断誘導線に対応して破断案内のための切り込み部を形成してあることを特徴とする請求項１、２または３記載のトレー。
【発明の詳細な説明】
【技術分野】
【０００１】
本発明は、食品用その他のトレーであって、使用済み廃棄または回収等にあたって容易かつ安全に破断あるいは２つ折りにできるプラスチック製またはパルプモールド製のトレーに関するものである。
【背景技術】
【０００２】
食品用などのトレーは、使用済み廃棄または回収等にあたって、破断また折り纏めにより嵩張らないようにすることが好ましいし、特に資源化のための回収にあたっては、破断による減量化が要請されている。
【０００３】
この要請に応えるべく、実願平４−３８４６４号（実開平５−９２１２０号）のＣＤ−ＲＯＭは、食品包装用トレーとしてその底壁に凹溝状の切り込みを形成したものを提案している。すなわち、その食品包装用トレーは、破断時に側壁を掴んで底壁を折り破断し易いように工夫したものである。なお、開封にあたって引き裂き可能にしたパック容器は、特開平１１−１９８２９５号公報で紹介されている。
【特許文献１】実願平４−３８４６４号（実開平５−９２１２０号）のＣＤ−ＲＯＭ
【特許文献２】特開平１１−１９８２９５号公報
【発明の開示】
【発明が解決しようとする課題】
【０００４】
ところで、食品用などのトレーは、底壁の周囲に起立する側壁が一体に形成された立体形状のものであるから、上記実願平４−３８４６４号（実開平５−９２１２０号）のＣＤ−ＲＯＭに記録されている食品包装用トレーのように、底壁に破断誘導のための切り込み（細凹溝）を形成してあっても、トレーの破断時に底壁をその切り込みに沿って折り破断する際には底壁から立体的に起立している側壁が引っ張り面または突っ張り面となってしまい、容易に破断ができないばかりでなく、破断しようとして強く折り曲げると、側壁の破断部分が鋸歯のようになったり、またその部分から破断片が飛び散ることがあるなど、安全面でも問題があることが分かった。
【０００５】
そこで、本発明は、トレーの底壁に折り目線を形成するのと併せて、その折り目線の延長上で側壁に破断誘導線を形成したことにより、トレーの破断または折り纏め処理にあたっては、底壁の折り目線を境に折る過程で、底面から起立している側壁をその破断誘導線から先行して破断させたうえで、底壁をその折り目線に沿って容易にしかも安全に折り纏め処理することができるとともに、さらに必要により底壁の折り目線から容易かつ安全に破断処理することができるトレーを提供することを目的とするものである。
【課題を解決するための手段】
【０００６】
上記目的を達成するための本発明の請求項１に係るトレーは、底壁の周囲に起立した側壁が一体に形成されているトレーであって、底壁にはその一端側から他端側にかけて折り目線を形成してあるとともに、側壁には上記折り目線の延長線に沿って破断誘導線を形成して成ることを特徴とするものである。
【０００７】
また、本発明の請求項２に係るトレーは、請求項１記載の構成において、底壁の折り目線は、細凹溝状、細長楕円孔並列状または円孔並列状の線であり、側壁の破断誘導線は、細長楕円孔並列状、円孔並列状または一連細長孔状の線であることを特徴とするものである。
【０００８】
また、本発明の請求項３に係るトレーは、請求項１または２記載の構成において、側壁の破断誘導線は、側壁の底壁からの起立側および開口端側またはそのいずれかに間隔をおいて形成されていることを特徴とするものである。
。
【０００９】
また、本発明の請求項４に係るトレーは、請求項１、２または３記載の構成において、側壁の開口端には、破断誘導線に対応して破断案内のための切り込み部を形成してあることを特徴とするものである。
【発明の効果】
【００１０】
本発明によれば、トレーの底壁に折り目線を形成するのと併せて、その折り目線の延長上で側壁に破断誘導線を形成したことにより、トレーの破断または折り纏め処理にあたっては、底壁の折り目線を境に折る過程で、底面から起立している側壁をその破断誘導線から先行して破断させたうえで、底壁をその折り目線に沿って容易にしかも安全に折り纏め処理することができるとともに、さらに必要により底壁の折り目線から容易かつ安全に破断処理することができるものである。
【発明を実施するための最良の形態】
【００１１】
図１は本発明の一実施の形態に係るトレーの斜視図、図２（Ａ）、（Ｂ）は底壁の折り目線および側壁の破断誘導線の構成を示す詳細図、図３（Ａ）、（Ｂ）は底壁の折り目線の他例を示す詳細断面図、図４は本発明の他の実施の形態に係るトレーの斜視図、図５は同上トレーを２つ折りした態様の斜視図である。
【００１２】
図１ないし図３において、１はトレーであって、このトレー１はプラスチック製またはパルプモールド製である。トレー１は、底壁２の周囲に起立した側壁３が一体に形成されている立体形状を成している。トレー１の底壁２には、その一端側から他端側にかけて折り目線４を形成してあり、対向する側壁３、３には、上記折り目線４の延長線上に破断誘導線５を形成してある。
【００１３】
底壁２の折り目線４は、図２（Ａ）に示すように細長楕円孔並列状か、同図（Ｂ）に示すように円孔並列状か、あるいは図３に示すように細凹溝状の線であり、折り目線４が細凹溝状の線である場合は、図３（Ａ）のような底壁２の上面（または下面）に細溝４ａを形成した細凹溝状であるか、あるいは同図（Ｂ）のような底壁２の上面と下面から対応させて細溝４ｂを形成した細凹溝状の線である。
【００１４】
また、側壁３、３の破断誘導線５、５は、図２（Ａ）に示すように細長楕円孔並列状か、同図（Ｂ）に示すように円孔並列状か、あるいは図３に示すように細凹溝状の線である。そして、側壁３、３の破断誘導線５、５は、側壁３、３の底壁２からの起立側および開口端側にそれぞれ間隔６，６をおいて形成されており、それらの間隔部分は、トレー１の側壁３、３に破断線５、５を形成してあっても、使用時における所要の強度を保つとともに不用意な破断を防止するための連設構造とするものである。したがって、上記間隔６は開口端側に設けることが必須であって、底壁２からに起立側に設けることは任意である。側壁３、３の開口端には、破断誘導線５、５に対応して破断案内のための切り込み部（ノッチ）７を形成してある。図示のトレー１は側壁３の開口端に狭いフランジ部８を有しているので、切り込み部７はそのフランジ部８に設けてある。
【００１５】
以上のように構成されたトレー１を、廃棄時または回収時に破断または折り纏め処理するにあたっては、まずトレー１を上向きにしてその底面２の折り目線４を境に４して２つ折りするが、その過程においては底壁２から起立している側壁３、３が底壁２の折り目線４の延長上で先行して破断するので、トレー２の２つ折りが容易にしかも安全にできる。そして、２つ折りしたトレー１は２つに折り纏めたままでよければそのままでよいが、さらに破断処理する必要があるときは、底壁２の折り目線４から破断すればよく、その破断処理も容易にしかも安全にできる。
【００１６】
図４および図５に示す本発明の他の実施の形態に係るものは、底壁２の折り目線４を細凹溝状の線とし、側壁３、３の破断線５、５を一連細長孔状（１つの細長孔状）の線とし、図５に示すように底壁２の折り目線４を境にして２つ折りできる構成である。なお、この実施の形態のものにおいても、底壁２の折り目線４から破断することが容易にできるが、底壁２の折り目線４を細長楕円孔並列状か円孔並列状の線にすれば、その破断処理がいっそう容易になる。
【実施例】
【００１７】
本発明に係るトレーは、プラスチック製またはパルプモールド製であるが、次にパルプモールド製であって食品（チルド麺）用のトレーの具体例を示す。
【００１８】
トレーの最大横幅：１４２ｍｍ
最大縦幅：１９１ｍｍ
平均肉厚：２ｍｍ以上
折り目線：（細長楕円孔並列状の場合）孔の長さａは１０ｍｍ、孔の幅ｂは３〜６ｍｍ、孔間の幅ｃは５ｍｍ（図２参照）
（円孔並列状の場合）孔の直径φは３ｍｍ、孔間の幅ｄは６ｍｍ（図２参照）
破断誘導線：（細長楕円孔並列状の場合）孔の長さａは１０ｍｍ、孔の幅ｂは３〜６ｍｍ、孔間の幅ｃは５ｍｍ（図２参照）
（円孔並列状の場合）孔の直径φは３ｍｍ、孔間の幅ｄは６ｍｍ
【産業上の利用可能性】
【００１９】
本発明に係るトレーは、底壁の折り目線を細長楕円孔並列状か円孔並列状の線とした場合はもとより、側壁の破断誘導線が細長楕円孔並列状か円孔並列状あるいは一連の細長孔状の線であるから、完全な密封性を有していないものである。したがって、水分や液汁が出ない食品用その他のトレーとして広く用いられる。食品用としては、例えば密封袋に詰めたチルド麺や生麺、乾燥食材、キノコ類、キュウリ、ナス、ショウガ生食材用などとして汎用性の高いものである。
【図面の簡単な説明】
【００２０】
【図１】本発明の一実施の形態に係るトレーの斜視図である。
【図２】（Ａ）、（Ｂ）はそれぞれ底壁の折り目線および側壁の破断誘導線の構成を示す詳細図である。
【図３】（Ａ）、（Ｂ）はそれぞれ底壁の折り目線の他例を示す詳細断面図である。
【図４】本発明の他の実施の形態に係るトレーの斜視図である。
【図５】同上トレーを２つ折りした態様の斜視図である。
【符号の説明】
【００２１】
１  トレー
２  底壁
３  側壁
４  折り目線
４ａ  細溝
４ｂ  細溝
５  破断誘導線
６  間隔
７  切り込み部（ノッチ）
８  フランジ部
【図１】
2005053511.tif 000003
【図２】
2005053511.tif 000004
【図３】
2005053511.tif 000005
【図４】
2005053511.tif 000006
【図５】
2005053511.tif 000007